(57)【要約】【課題】本発明は、光源ユニットおよび照明器具に関し、安定な光制御を行いつつ簡単に光制御の変更ができる光源ユニットおよび照明器具を少ない部品数で提供することを目的とする。【解決手段】本発明にかかる光源ユニットは、光源部と、該光源部が取り付けられる保持部と、配光制御部材と、を備え、該配光制御部材は、該光源部を覆い、該保持部に取り付けられ、光透過部を有する光制御部材と、該光透過部と該光源部との間に設けられ、曲面を形成する光拡散部と、該光拡散部よりも該保持部側で、該光制御部材と該光拡散部とを一体化させる当面部と、を備える。【選択図】図３
2018088428.tif 000002
【特許請求の範囲】
【請求項１】
光源部と、
前記光源部が取り付けられる保持部と、
配光制御部材と、
を備え、
前記配光制御部材は、
前記光源部を覆い、前記保持部に取り付けられ、光透過部を有する光制御部材と、
前記光透過部と前記光源部との間に設けられ、曲面を形成する光拡散部と、
前記光拡散部よりも前記保持部側で、前記光制御部材と前記光拡散部とを一体化させる当面部と、
を備えることを特徴とする光源ユニット。
【請求項２】
光源部と、
前記光源部が取り付けられる保持部と、
配光制御部材と、
を備え、
前記配光制御部材は、
前記光源部を覆い、光透過部を有する光制御部材と、
前記光透過部と前記光源部との間に設けられ、曲面を形成する光拡散部と、
前記保持部の前記光源部が取り付けられた面に沿って伸びる当面部と、
前記保持部のうち、前記光源部が取り付けられた面に対して前記光源部と反対側の部分に引っ掛かる引掛部と、
を備えることを特徴とする光源ユニット。
【請求項３】
前記保持部は、
前記光源部が取り付けられた当接部と、
前記当接部の両端から、前記当接部に対して前記光源部と反対側に伸びる側部と、
を備えることを特徴とする請求項１または２に記載の光源ユニット。
【請求項４】
前記光拡散部から前記光透過部に向かって間隔が広がるように設けられた一対の反射部を備えることを特徴とする請求項１から３の何れか１項に記載の光源ユニット。
【請求項５】
前記光制御部材は、前記当面部に向かって伸びる水平部を備えることを特徴とする請求項１から４の何れか１項に記載の光源ユニット。
【請求項６】
点灯装置を内蔵した器具本体部と、
前記器具本体部に取り付けられ前記点灯装置で点灯される請求項１から５の何れか１項に記載の光源ユニットと、
を備え、
前記光源ユニットは、前記器具本体部の開口部を前記光制御部材が塞ぐように取り付けられることを特徴とする照明器具。
【発明の詳細な説明】
【技術分野】
【０００１】
本発明は、光源ユニットおよび照明器具に関する。
【背景技術】
【０００２】
天井などに取り付けられる直付照明器具では、比較的広い配光をもつ器具が一般的であるが、使用環境により集光タイプあるいはグレアカットタイプなどのように配光を光制御するものがある。直管蛍光灯を用いた器具では反射部材、ルーバーなどを用いて配光制御を行なっていたが、近年では、光源のＬＥＤ化に伴い照明器具の形状も多様化しており、カバー部材を利用して拡散・集光などの配光制御を行なっているものがある。
【０００３】
例えば、特開２０１３−２０６８４９号公報にかかる照明器具では、略半円弧形状をしたカバーの内側に溝部を設け、光学シートなどの配光制御部材を湾曲させた状態でカバーに設けられた溝部に取り付けられるものがある。この照明器具はカバーと光学シートを別に設けていることにより、光学シートを変更することで配光制御の変更を可能としている。
【０００４】
また、特開２０１３−２０１０１２号公報によれば、光制御部材ではないが、カバーを有したＬＥＤを光源とする照明器具において、カバーがＬＥＤを備えた基板をスライドにより取り付けを行なう溝部を有しているものがあり、カバーが基板を保持することで、ネジ・接着部材のように基板を取り付ける部材を削減することができる。
【０００５】
また、特開２０１３−１２７９２２号公報によれば、ＬＥＤを備えた照明器具にて、ＬＥＤ発光部に透過性カバー・レンズにより配光制御を行なっている発光装置を用いているものもある。この照明器具では透過性カバー・レンズを変更することにより、配光制御の変更を可能としている。
【先行技術文献】
【特許文献】
【０００６】
【特許文献１】特開２０１３−２０６８４９号公報
【特許文献２】特開２０１３−２０１０１２号公報
【特許文献３】特開２０１３−１２７９２２号公報
【発明の概要】
【発明が解決しようとする課題】
【０００７】
しかしながら、特開２０１３−２０６８４９号公報にかかるカバーは、光学シートを湾曲させ保持している。このため、光学シートに常に応力がかかっており、ひび割れなどの材料劣化が起こる可能性がある。また光学シートは突起などの表面加工により配光制御を行なっているものもあり、湾曲させることにより表面加工が変形し、設計したとおりの配光制御ができなくなるという問題がある。
【０００８】
また、特開２０１３−２０１０１２号公報にかかる技術によれば基板をスライドによりカバーの溝部に挿し込んでいる。カバー及び基板が長尺なものになった際には、差し込む為の作業空間が必要となるとともに、カバーが樹脂で成形されているものが多数であり長尺になるとねじれが発生し、差し込みにくくなるという問題がある。また、この問題は基板と同じように、カバー溝部にスライドさせ光学シートを取り付けした時にも危惧される。
【０００９】
特開２０１３−１２７９２２号公報にかかる発光装置では、透過カバー、レンズそれぞれ固定の為の固定部材を必要としている。このため、発光装置を構成する為の部品数が多くなるという問題がある。
【００１０】
本発明は、上述のような課題を解決するためになされたもので、安定な光制御を行いつつ簡単に光制御の変更ができる光源ユニットおよび照明器具を少ない部品数で提供することを目的とする。
【課題を解決するための手段】
【００１１】
本発明にかかる光源ユニットは、光源部と、該光源部が取り付けられる保持部と、配光制御部材と、を備え、該配光制御部材は、該光源部を覆い、該保持部に取り付けられ、光透過部を有する光制御部材と、該光透過部と該光源部との間に設けられ、曲面を形成する光拡散部と、該光拡散部よりも該保持部側で、該光制御部材と該光拡散部とを一体化させる当面部と、を備える。
【００１２】
本発明にかかる光源ユニットは、光源部と、該光源部が取り付けられる保持部と、配光制御部材と、を備え、該配光制御部材は、該光源部を覆い、光透過部を有する光制御部材と、該光透過部と該光源部との間に設けられ、曲面を形成する光拡散部と、該保持部の該光源部が取り付けられた面に沿って伸びる当面部と、該保持部のうち、該光源部が取り付けられた面に対して該光源部と反対側の部分に引っ掛かる引掛部と、を備える。
【発明の効果】
【００１３】
本発明によれば、着脱が容易な複数の部材を互いに嵌合させて所望の光制御を実現し構成するようにしたので、安定な光制御を行いつつ、簡単に光制御の変更ができる光源ユニットおよび照明器具が少ない部品数で提供される。
【図面の簡単な説明】
【００１４】
【図１】本発明の実施の形態にかかる照明器具の斜視図である。
【図２】実施の形態にかかる照明器具の分解斜視図である。
【図３】実施の形態にかかる光源ユニットおよび配光制御部材の断面図である。
【図４】実施の形態にかかる発光部の断面図である。
【図５】実施の形態にかかる第１光制御部材の断面図である。
【図６】実施の形態にかかる第２光制御部材の断面図である。
【図７】実施の形態にかかる配光制御部材の組立工程図である。
【図８】実施の形態にかかる配光制御部材の組立工程図である。
【図９】実施の形態にかかる配光制御部材の組立工程図である。
【図１０】実施の形態にかかる配光制御部材の組立工程図である。
【図１１】実施の形態にかかる光源ユニットの配光性能を示した図である。
【発明を実施するための形態】
【００１５】
本実施の形態にかかる照明器具１は、天井などに取り付けて用いることができる。ただし、本発明は天井取り付け型の照明器具に限られるものではなく、壁または床などに取り付けるタイプの照明器具に適用されてもよいし、吊り下げ型の照明器具に適用されても良い。以下の説明においては、形状および構造の理解を容易にするために、便宜上、照明器具１の光照射方向を「下側」と称し光照射方向と反対方向を「上側」と称し、この上下方向と交差する横軸方向を「水平」とも称す。
【００１６】
（照明器具）
図１は本発明の実施の形態にかかる照明器具１の斜視図であり、図２はその分解斜視図である。照明器具１は全体として細長い略矩形ブロック状の外郭構造を有している。照明器具１は、光源ユニット１００および器具本体部１０００を備えている。器具本体部１０００は、天井など被取付部に取り付けられ下側一面が開口し、商用電源から直流電源を生成する点灯装置を内蔵している。光源ユニット１００は、器具本体部１０００の開口部を塞ぐように取り付けられ、ＬＥＤ１１１を内蔵し、商用電源から供給される電力にてこのＬＥＤ１１１が点灯する。器具本体部１０００および光源ユニット１００はいずれも細長い略矩形ブロック状である。光源ユニット１００は、ＬＥＤ１１１を備え商用電源から供給される電力にて点灯する発光部１１０と、発光部１１０の照射側前面に配設され発光部１１０が照射する光を制御する配光制御部材１２０を備えている。
【００１７】
（光源ユニットおよび配光制御部材）
図３は、実施の形態にかかる光源ユニット１００および配光制御部材１２０の断面図である。図４は、実施の形態にかかる発光部１１０の断面図である。発光部１１０は、複数のＬＥＤ１１１と、複数のＬＥＤ１１１が実装されたＬＥＤ基板１１２と、ＬＥＤ基板１１２を保持する基板保持部１１３から構成されている。複数のＬＥＤ１１１は、ＬＥＤ基板１１２の実装面に直線状に略均一に配列されている。照明器具１が備える点灯装置（図示無し）は商用電源から直流電流を生成し、複数のＬＥＤ１１１を点灯させる。本実施の形態ではＬＥＤ１１１は直線状に略均等に配設されている説明をしているが、本発明はこれに限られない。光源ユニット１００の形状により直線に配置されていなくても良く、不均等な間隔に配置されていても良く、複数の列を構成するように配置されても良い。なお、ＬＥＤに代えて有機ＥＬ素子を用いても良い。
【００１８】
基板保持部１１３は、断面が略「コ」の字形状であり、基板当接面１１３ａと保持垂直部１１３ｂから形成されている。ＬＥＤ基板１１２におけるＬＥＤ１１１の実装面と反対側の裏面に、基板当接面１１３ａが当接する。保持垂直部１１３ｂは、基板当接面１１３ａの長手方向両端から略垂直にＬＥＤ基板１１２の裏面側へと伸びる部位である。
【００１９】
配光制御部材１２０は、一部が開口し配光制御部材１２０の略外郭を成す光制御部材である第１光制御部材１３０と、発光部１１０の前面に配置されるとともに第１光制御部材１３０の開口に嵌合する第２光制御部材１４０と、端面に接着された側板１５０から構成される。まず、図３を参照しながら、光源ユニット１００について説明を行う。ＬＥＤ１１１を出射した光は、配光制御部材１２０の第２光制御部材１４０により拡散された後、第１光制御部材１３０に到達する。
【００２０】
（第１光制御部材）
図５は、実施の形態にかかる第１光制御部材１３０の断面図である。図５の断面図を用いて断面視で各部位の形状を説明する。第１光制御部材１３０は、光透過部１３１と、第１反射部１３２と、側面部１３３と、水平部１３４と、光源当接部１３５と、第１嵌合部１３６とを備える。第１光制御部材１３０は、図５の断面視で、光透過部１３１の水平中心部から垂直方向に伸びる仮想線を中心軸として対称形状に形成されている。光透過部１３１は、表面１３１ａと裏面１３１ｂを備え、ＬＥＤ１１１の光を透過する。光透過部１３１は、発光部１１０の照射方向側に配設され略平面形状を備えている。第１反射部１３２は、光透過部１３１の端部から裏面１３１ｂ側に突出し裏面１３１ｂ側を向く面で光を反射する。第１反射部１３２は、光透過部１３１の両端から光透過部１３１の中心側に向かって上側内斜め方向に突出する。側面部１３３は、光透過部１３１の両端から光透過部１３１の中心から離れるように上側外斜めに延びており、本実施の形態では断面視で略円弧形状に上側外斜めに延びることで側面部１３３が外側に凸となる曲面を有している。側面部１３３は、第１反射部１３２よりも外側において光透過部１３１の端部から裏面１３１ｂ側に突き出ている。側面部１３３は、裏面１３１ｂから離れるように外側に可逆的に開くことが可能である。水平部１３４は、側面部１３３の端部から水平方向内側へ突出する。光源当接部１３５は、水平部１３４から上側（すなわち発光部１１０側）に突出する。第１嵌合部１３６は、水平部１３４の略延長上に伸びるように側面部１３３の内側に突出している。
【００２１】
本実施の形態においては、第１光制御部材１３０は、その全体が同じ透明材料で形成されている。透明材料であっても、第１光制御部材１３０の表面に凹凸を付けることで、光を拡散することができる。
【００２２】
図５に示すように、第１反射部１３２、水平部１３４、および第１嵌合部１３６は、それぞれ第１光制御部材１３０の両脇から第１光制御部材１３０の中央へと伸びるように形成されている。互いに対向する１組の第１反射部１３２、互いに対向する１組の水平部１３４、および互いに対向する１組の第１嵌合部１３６は、それぞれ、第１光制御部材１３０の内側（つまり発光部１１０側）に開口を形成している。側面部１３３は、光透過部１３１との接合部周部を略中心として水平方向外側へ弾性変形により開くことができ、側面部１３３が開くことにより第１光制御部材１３０と第２光制御部材１４０の嵌め合いが可能になる。光源当接部１３５は、発光部１１０の保持垂直部１１３ｂと当接して発光部１１０を保持する。光源当接部１３５の先端には略半円弧形状の引掛部１３５ａが形成されている。光源当接部１３５及び引掛部１３５ａは発光部１１０の形状にあわせ変更しても良い。光透過部１３１は、屈折作用により第２光制御部材１４０から入射される光を配光制御するものである。第１反射部１３２は、第２光制御部材１４０から入射する光を全反射により配光制御するものである。本実施の形態では第１反射部１３２の内側表面１３２ａに凹凸を設けている。図面では内側表面１３２ａの凹凸を模式的に図示しており実際の形態は図示した段差に限定されず、互いに均等な高さの複数の段差を有する階段状の凹凸としてもよく、それ以外の凹凸でもよい。また、本発明はこれに限られず、内側表面１３２ａが凹凸のない平坦な面でも良い。
【００２３】
（第２光制御部材）
図６は、実施の形態にかかる第２光制御部材１４０の断面図である。図６の断面図を用いて断面視で各部位の形状を説明する。第２光制御部材１４０は、光拡散部１４１と、第２反射部１４２と、当面部１４３と、第２嵌合部１４４を備えている。第２光制御部材１４０は、図６の断面視で、光拡散部１４１の水平中心部から垂直方向に伸びる仮想線を中心軸として対称形状に形成されている。光拡散部１４１は、発光部１１０の前面に配置され、ＬＥＤ１１１の光を拡散させる。本実施の形態における光拡散部１４１はその表面が若干の丸みを帯びた曲面となっているが、これに限らず平面であっても良い。第２反射部１４２は、光拡散部１４１と第２嵌合部１４４との間に設けられ、光拡散部１４１が第１光制御部材１３０側に凸となる段差を形成するように光拡散部１４１と第２嵌合部１４４とを接続する。第２反射部１４２は、光拡散部１４１の両端から上側内斜めにそれぞれ突出する。当面部１４３は、第２反射部１４２の先端から水平に突出し、ＬＥＤ基板１１２と平行に外側に向かって伸びる。第２嵌合部１４４は、当面部１４３を介して光拡散部１４１と一体化され光拡散部１４１の端部側から光拡散部１４１の平面方向に伸びる。
【００２４】
第２光制御部材１４０は、二色成形により一体で構成される。光拡散部１４１は、拡散透過材で構成されており、例えば乳白色である。第２反射部１４２は、光不透過性の高反射部材で構成されており、例えば白色である。
【００２５】
第２嵌合部１４４は、当面部１４３の先端に形成され略「コ」の字形状をしている。光拡散部１４１は、ＬＥＤ１１１が照射する光を拡散させ、第１光制御部材１３０に照射するものである。第２反射部１４２は、その表面でＬＥＤ１１１の照射光を反射するものである。第２反射部１４２における少なくともＬＥＤ１１１の光を受ける面は、その反射率が９０％以上でありかつ拡散成分の多い反射材料で形成されていることが好ましい。例えば高反射ポリカーボネート材を用いて第２反射部１４２を形成してもよい。
【００２６】
第２嵌合部１４４は、略「コ」の字形状をし、「コ」の字の開口が水平外方向へ向くように形成されている。開口の上側に位置する上嵌合片１４５ａは、開口の下側に位置する下嵌合片１４５ｂより長く形成されている。第２嵌合部１４４の先端に、互いに長さの異なる上嵌合片１４５ａおよび下嵌合片１４５ｂが設けられている。下嵌合片１４５ｂは、上嵌合片１４５ａよりも第１光制御部材１３０側に設けられかつ上嵌合片１４５ａよりも短い。
【００２７】
配光制御部材１２０は、第１嵌合部１３６と第２嵌合部１４４とが嵌合され、光拡散部１４１を広げたままで第１、２光制御部材１３０、１４０が一体化されたものである。第２光制御部材１４０は、光透過部１３１と光拡散部１４１が互いに重なるように第１光制御部材１３０と一体化されている。側面部１３３を元の位置に戻すと第１嵌合部１３６と第２嵌合部１４４とが嵌合され、第１嵌合部１３６の先端は上嵌合片１４５ａおよび下嵌合片１４５ｂの間に収まる。このとき、光拡散部１４１が撓まずに広げられたまま、つまり図６に示す元の形状のままである。これにより、光拡散部１４１に応力がかかることを抑制できる。また、第２光制御部材１４０全体も湾曲することなくその平面方向に広げられた状態に維持されることが好ましい。このように構成部品の応力を抑制することで、ひび割れなどの材料劣化が起こる可能性を低下させることができる。また光拡散部１４１が湾曲しないので、光拡散部１４１の表面に突起など表面加工を施した場合であってもその表面加工が変形し設計した配光制御ができなくなるという問題が生じない。好ましくは、第１嵌合部１３６と第２嵌合部１４４とが嵌合されたときに、ちょうど第１嵌合部１３６の先端と第２嵌合部１４４におけるコの字の底部が当接するか、あるいは第１嵌合部１３６の先端と第２嵌合部１４４におけるコの字の底部との間に若干のすきま（クリアランス）が設けられるような設計を行ってもよい。第２光制御部材１４０に不要な力がかからず、光拡散部１４１に応力がかかることをより確実に抑制できるからである。
【００２８】
光透過部１３１の端部を支点として側面部１３３を外側に開くことで第１嵌合部１３６と第２嵌合部１４４との離脱が可能である。側面部１３３を外側に開いたとき当該側面部１３３が弾性変形した状態で第１嵌合部１３６と第２嵌合部１４４の離脱が可能であることが好ましい。側面部１３３が可逆的に開くことで容易に第１、２嵌合部１３６、１４４を離脱できるので、第１、２光制御部材１３０、１４０の互いの組み合わせ変更が容易であるとともに事後的な交換も容易であり、配光制御を容易に変更することができる。
【００２９】
配光制御部材１２０は、第１光制御部材１３０と第２光制御部材１４０が嵌合により一体化されていることで第２光制御部材１４０を容易に着脱できるので、複数種類の互いに異なる光学特性を有する第２光制御部材１４０の間で容易に交換できる。具体的には分散度の異なる第２光制御部材１４０を用いることで発光部１１０から照射される光に対して配光制御特性を容易に変更することができる。
【００３０】
なお本実施の形態にかかる光源ユニット１００は、光透過部１３１の水平中心部と、光拡散部１４１の水平中心部と、ＬＥＤ１１１の中心部が略同軸上になるよう配設される。なお、本実施の形態では第１光制御部材１３０が水平方向に形成された板状の第１嵌合部１３６を備え、第２光制御部材１４０が略「コ」の字形状の第２嵌合部１４４を備える形状について説明を行なったが、その逆でつまり第１光制御部材１３０に第２嵌合部１４４を設けても良い。第１光制御部材１３０に第２嵌合部１４４を設ける際は、図６に示したのとは逆に上嵌合片１４５ａが下嵌合片１４５ｂより短く形成される。また、「コ」の字状に限らず「Ｃ」字状または「Ｕ」字状としてもよく、第１嵌合部１３６を受ける開口を有していればその形状は特に限定しない。
【００３１】
（組立工程）
図７〜図１０は本実施の形態における配光制御部材１２０の組立工程図である。図７は第１光制御部材１３０と第２光制御部材１４０が別々の状態である。図８は第１光制御部材１３０の第１嵌合部１３６に第２光制御部材１４０の第２嵌合部１４４の片方を差し込んだ状態である。図９は第１光制御部材１３０の側面部１３３を可動させた状態である。図１０は第１光制御部材１３０に第２光制御部材１４０を嵌合させた状態である。
【００３２】
手順を説明すると、先ず、図８に示すように、第１光制御部材１３０の第１嵌合部１３６に、第２光制御部材１４０を傾斜させた状態で第２嵌合部１４４の片方を矢印Ａの方向へ差し込む。次に、図９に示すように、第１光制御部材１３０の側面部１３３のうち、第２嵌合部１４４が差し込まれていないほうの側面部１３３を、側面部１３３と光透過部１３１の接合部１３３ａを支点として矢印Ｂの方向へと開く。このとき、側面部１３３は少なくとも下嵌合片１４５ｂの長さだけ開けばよい。下嵌合片１４５ｂの長さだけ開くことで、第１嵌合部１３６に嵌め込み済みの一方の第２嵌合部１４４を支点として、第２光制御部材１４０が下方向（矢印Ｃ）へと動いて収まる。第２光制御部材１４０の下方向への回動に伴い、第１嵌合部１３６と上嵌合片１４５ａが当接し、第１嵌合部１３６が第２嵌合部１４４に差し込み可能となる。次に、外側に開いていたほうの側面部１３３を戻すことで第１嵌合部１３６が第２嵌合部１４４に差し込まれる。このようにして第２光制御部材１４０は第１光制御部材１３０と嵌合し、配光制御部材１２０が組み立てられる。
【００３３】
第２嵌合部１４４は、上嵌合片１４５ａが下嵌合片１４５ｂより長く形成されている。これにより、側面部１３３の可動範囲が小さくとも第１嵌合部１３６と第２嵌合部１４４の離脱を可能とし、また第１嵌合部１３６を第２嵌合部１４４に差し込みするときに上嵌合片１４５ａがガイド機能を果たすという効果がある。
【００３４】
（光学特性）
図１１は、実施の形態にかかる光源ユニット１００の配光性能を示した図である。図１１は、分散度の異なる第２光制御部材１４０の配光分布を比較した配光分布図である。なお、第２光制御部材１４０の分散度の変更による配光分布の変更の一例として、集光仕様について説明する。第２光制御部材１４０では、光拡散部１４１の分散度を変更することで光拡散部１４１の発光分布を調整できる。その結果、配光制御部材１２０の配光分布を変更することができる。図１１において、第２光制御部材Ａ１４０１は光拡散部１４１の分散度が６０％のものであり、第２光制御部材Ｂ１４０２は光拡散部１４１の分散度が４７％のものであり、第２光制御部材Ｃ１４０３は光拡散部１４１の分散度が２４％のものである。ここでは、受光角０°の透過光量を１００％としたときの透過光量５０％になる受光角θのことを、分散度と定義している。第２光制御部材Ａ１４０１と、第２光制御部材Ｂ１４０２と、第２光制御部材Ｃ１４０３の中心光度は、第２光制御部材Ａ１４０１よりも第２光制御部材Ｂ１４０２が大きく、第２光制御部材Ｂ１４０２よりも第２光制御部材Ｃ１４０３が大きくなるように配光制御が行なわれている。つまり、配光制御部材１２０は、あらかじめ備えられている第２光制御部材１４０をこれよりも分散度が大きい第２光制御部材Ａ１４０１に変更することで、光源ユニット１００から照射される光の中心光度が小さくなるように光制御を行なうことができる。
【００３５】
なお、本実施の形態で用いた数値は一例であり本発明を限定するものではなく、分散度の値と中心光束が比例するようなものでも良い。また、分散度だけでなく、透過度などを変更するものでも良い。また、本実施の形態では集光仕様に関して説明を行ったが、集光仕様以外の配光制御であってもよい。本実施の形態は、好ましい形態の一つとして、光透過部１３１、第１反射部１３２、光拡散部１４１、および第２反射部１４２という互いに種類の異なる複数の光制御機能が一体化された配光制御部材１２０が提供されている。このように２つの部品を嵌合により一体化しているので、少ない部品で複数種類の光制御を行うことができる。
【００３６】
配光制御部材１２０およびこれを構成する第１，２光制御部材１３０、１４０は、図３〜６にそれぞれ示した断面形状を長さ方向に連続的に伸ばした形状を有している。ただし、第１，２光制御部材１３０、１４０が必ずしもその長さ方向の断面が均一であることを必須とするものではなく、異なる断面形状を有する部分が長さ方向に部分的に設けられてもよい。第１，２光制御部材１３０、１４０は、それぞれに適した合成樹脂を金型で一体的に成形することで製造してもよい。光制御機能を持たせる部位である光制御部（本実施の形態では光透過部１３１、第１反射部１３２、光拡散部１４１、および第２反射部１４２）に、必要に応じて、透過、反射、拡散その他の所望の光学特性を得るために、適した光学特性を有する合成樹脂で部分的に成形したり、コーティングを施したり、あるいは凹凸その他表面加工を施したりしてもよい。なお、本実施の形態では、光透過部１３１の水平中心部から垂直方向を中心軸として図５の断面視で第２光制御部材１４０を左右対称形状とし、光拡散部１４１の水平中心部から垂直方向を中心軸として図６の断面視で第２光制御部材１４０を対称形状としているが、本発明はこれに限られず、左右対称形状でなくともよい。
【符号の説明】
【００３７】
１  照明器具、１００  光源ユニット、１１０  発光部、１１１  ＬＥＤ、１１２  ＬＥＤ基板、１１３  基板保持部、１１３ａ  基板当接面、１１３ｂ  保持垂直部、１２０  配光制御部材、１３０  第１光制御部材、１３１  光透過部、１３１ａ  表面、１３１ｂ  裏面、１３２  第１反射部、１３３  側面部、１３４  水平部、１３５  光源当接部、１３５ａ  引掛部、１３６  第１嵌合部、１４０  第２光制御部材、１４１  光拡散部、１４２  第２反射部、１４３  当面部、１４４  第２嵌合部、１４５ａ  上嵌合片、１４５ｂ  下嵌合片、１５０  側板、１０００  器具本体部
【図１】
2018088428.tif 000003
【図２】
2018088428.tif 000004
【図３】
2018088428.tif 000005
【図４】
2018088428.tif 000006
【図５】
2018088428.tif 000007
【図６】
2018088428.tif 000008
【図７】
2018088428.tif 000009
【図８】
2018088428.tif 000010
【図９】
2018088428.tif 000011
【図１０】
2018088428.tif 000012
【図１１】
2018088428.tif 000013